(57)【要約】【課題】バックアップ用の熱源機を備えた燃料電池システムにおいて、内部構成を簡略化する。【解決手段】燃料電池システム１０は、接続配管１１４を介して供給された湯を再加熱するバーナ１００、一次熱交換器９４、二次熱交換器９１、再加熱されて排出された湯と上水供給配管１０７を介して供給された上水とを混合して排出する混合弁１０６を備えたバックアップ熱源機ユニット１４と、外部より供給された水を、燃料電池セル８１で生成された熱を用いて加熱して湯として接続配管１１４へ排出する上水熱交換器４４、排気熱交換器３１及び冷媒タンク３０と、を有する。【選択図】図１
2020165582.tif 000002
【特許請求の範囲】
【請求項１】
外部より供給された上水を、燃料電池で生成された熱を用いて加熱して湯として第１の供給ラインへ排出する熱源部と、
前記第１の供給ラインを介して供給された前記湯を再加熱する加熱器、及び前記加熱器で再加熱されて排出された前記湯と第２の供給ラインを介して外部より供給された上水とを混合して排出する混合弁を備えたバックアップ熱源機と、
を有する燃料電池システム。
【請求項２】
前記第１の供給ラインは、配管のみ、または配管と継手のみで構成されている、請求項１に記載の燃料電池システム。
【請求項３】
前記第１の供給ラインは、湯水の入口が前記熱源部からの湯入口のみであり、前記熱源部から排出された湯のみが流入される、請求項１または請求項２に記載の燃料電池システム。
【発明の詳細な説明】
【技術分野】
【０００１】
本発明は、電力と湯の供給が可能な燃料電池システムに関する。
【背景技術】
【０００２】
住宅等に用いる従来の燃料電池システムとして以下のものが知られている（特許文献１参照）。
【先行技術文献】
【特許文献】
【０００３】
【特許文献１】特開２０１５−００２０９３号公報
【発明の概要】
【発明が解決しようとする課題】
【０００４】
燃料電池の発電に伴う熱で水を加熱して湯を生成する燃料電池システムでは、所望の温度の湯を得るために、システム内には出湯方向下流側に、湯と上水（冷水）とを混合し、かつ混合の割合を調整可能な混合弁が設けられている。
【０００５】
また、ガスバーナで水を加熱して湯を生成する熱源機、一例として瞬間湯沸し器と呼ばれる一般的に家庭で使用されている給湯器等では、所望の温度の湯を得るために、内部に、湯と上水とを混合し、かつ混合の割合を調整可能な混合弁が設けられている。
【０００６】
ところで、発電の状況等により、燃料電池システムで生成する湯の温度が、所望の温度に達しない場合がある。このため、ガスバーナで水を加熱するバックアップ用の熱源機を燃料電池システムに接続し、燃料電池システムで生成した湯をバックアップ用の熱源機で再加熱することが考えられる。
【０００７】
しかしながら、燃料電池システムにバックアップ用の熱源機を接続すると、システム全体では、燃料電池システムの混合弁と、熱源機の混合弁との２つの混合弁が存在することになり、混合弁の数が多く、湯と上水とを混合する構成が複雑になり、構成を簡略化するには改善の余地があった。
【０００８】
本発明は、上記事実を考慮して、バックアップ用の熱源機を備えた燃料電池システムにおいて、内部構成を簡略化することを目的とする。
【課題を解決するための手段】
【０００９】
請求項１に記載の燃料電池システムは、第１の供給ラインを介して供給された湯を再加熱する加熱器、及び前記加熱器で再加熱されて排出された前記湯と第２の供給ラインを介して供給された上水とを混合して排出する混合弁を備えたバックアップ熱源機と、外部より供給された水を、燃料電池で生成された熱を用いて加熱して前記湯として前記第１の供給ラインへ排出する熱源部と、を有する。
【００１０】
請求項１に記載の燃料電池システムでは、熱源部が、外部より供給された水を、燃料電池で生成された熱を用いて加熱して湯として第１の供給ラインへ排出する。
バックアップ熱源機は、第１の供給ラインを介して供給された湯を加熱器で再加熱することができる。また、バックアップ熱源機に備えられた混合弁は、加熱器で再加熱されて排出された湯と第２の供給ラインを介して供給された上水とを混合して排出することができる。これにより、バックアップ熱源機に備えられて混合弁から、所望の温度に調整した湯を排出することができる。
このように、請求項１に記載の燃料電池システムでは、湯と上水とを混合する混合弁が、熱源部とバックアップ熱源機の各々に設けられておらず、混合弁がバックアップ熱源機のみに設けられているので、混合弁の数が減り、湯と上水とを混合する構成が簡略化される。
【００１１】
請求項２に記載の発明は、請求項１に記載の燃料電池システムにおいて、前記第１の供給ラインは、配管のみ、または配管と継手のみで構成されている。
【００１２】
請求項２に記載の燃料電池システムでは、第１の供給ラインが、配管のみ、または配管と継手のみで構成されており、熱源部から排出される湯は、配管のみ、または配管と継手のみを介して加熱器に供給される。言い換えれば、熱源部と加熱器との間には、混合弁は設けられていない。
【００１３】
請求項３に記載の発明は、請求項１または請求項２に記載の燃料電池システムにおいて、前記第１の供給ラインは、湯水の入口が前記熱源部からの湯入口のみであり、前記熱源部から排出された湯のみが流入される。
【００１４】
請求項３に記載の燃料電池システムでは、湯水の入口が熱源部からの湯入口のみであり、熱源部から排出された湯のみが流入される構成であり、熱源部と加熱器との間に混合弁が設けられる構成とはならない。
【発明の効果】
【００１５】
以上説明したように、本発明の燃料電池システムによれば、バックアップ熱源機を備えた燃料電池システムにおいて、内部構成が簡略化される、という優れた効果を有する。
【図面の簡単な説明】
【００１６】
【図１】本発明の第１の実施形態に係る燃料電池システムの構成を示す構成図である。
【図２】燃料電池モジュールの構成を示す構成図である。
【図３】本発明の第２の実施形態に係る燃料電池システムの構成を示す構成図である。
【発明を実施するための形態】
【００１７】
［第１の実施形態］
以下、本発明の第１の実施形態に係る燃料電池システム１０を図１、及び図２にしたがって説明する。本実施形態の燃料電池システム１０は、一例として住宅に適用されるものである。
【００１８】
図１に示すように、本実施形態の燃料電池システム１０は、燃料電池ユニット１２、冷媒タンクユニット１３、及びバックアップ熱源機ユニット１４の３ユニットで構成されている。燃料電池ユニット１２、冷媒タンクユニット１３、及びバックアップ熱源機ユニット１４は、一例として、屋外のコンクリート等で形成された基礎の上、集合住宅の共用廊下やベランダ等に設置することができる。
【００１９】
（燃料電池ユニットの構成）
燃料電池ユニット１２は、筐体１６の内部に、都市ガス、空気（酸素）、及び改質水Ｗ１が供給されて発電を行う燃料電池モジュール１８、都市ガスを燃料電池モジュール１８に供給する燃料ガス管２０、燃料ガス管２０の中間部に設けられ都市ガス中に含まれる硫黄化合物を除去する脱硫器２２、燃料電池モジュール１８に供給する改質水Ｗ１を貯留する改質水タンク２４、改質水タンク２４の改質水Ｗ１の液面レベルを測定する液面レベルセンサ２４Ａ、改質水タンク２４と燃料電池モジュール１８とを連結する改質水供給管２６、改質水タンク２４の改質水Ｗ１を燃料電池モジュール１８に供給するための改質水ポンプ２８、燃料電池モジュール１８から排出された排ガスと冷媒Ｗ２との間で熱交換を行う排気熱交換器３１、燃料電池モジュール１８と排気熱交換器３１とを接続する第１排ガス管３２、排気熱交換器３１を通過した排ガスを筐体１６の外部へ排出するための第２排ガス管３４、排気熱交換器３１の内部で生成された水分（排気熱交換器３１の内部で凝集された排ガス中の水分）を改質水タンク２４へ排出するための排水管３５、空気ブロワ８６が設けられた酸化ガス管８８、後述する第１送出し側配管３６に設けられて冷媒タンク３０の冷媒Ｗ２を排気熱交換器３１側へ送り出すための熱回収ポンプ４０、第１送出し側配管３６に設けられて冷媒Ｗ２の熱を外部に放出可能とするラジエータ４２、ラジエータ４２に送風を行うラジエータファン４３、改質水タンク２４に接続されて余剰の改質水を排水管１３０を介して排水受け１２８に排出する排水ポンプ１３２、排水管１３０の途中に設けられて排水を中和する中和器１３３、後述する第１送出し側配管３６から改質水タンク２４に水を補充する配管、及び開閉弁から構成される補充装置１３６等が設けられている。
【００２０】
さらに、筐体１６の内部には、燃料電池モジュール１８に接続されたインバーター６８、燃料電池ユニット１２に設けられた各種電装部品の制御を行う制御装置７０が収容されている。制御装置７０は、インバーター６８より電力が供給され、燃料電池ユニット１２の電装部品、例えば、改質水ポンプ２８、熱回収ポンプ４０、ラジエータファン４３、予熱ポンプ５０、補水弁６０、混合弁６２等の補機の制御を行うことができる。
【００２１】
（燃料電池モジュール）
図２に示すように、燃料電池モジュール１８は、筐体７１の内部に、改質触媒７２、バーナ７４、及び燃料電池スタック７６を主要な構成として備えている。
【００２２】
改質触媒７２は、燃料ガス管２０と接続されている。この改質触媒７２には、脱硫器２２にて硫黄化合物が吸着除去された都市ガスが燃料ガス管２０を通じて供給される。この改質触媒７２は、供給された都市ガス（原料ガス）を、改質水供給管２６を通じて供給された改質水（凝縮水）Ｗ１を利用して水蒸気改質する。
【００２３】
バーナ７４には、後述するスタック排ガス管８０が接続されている。このバーナ７４は、スタック排ガス管８０を通じて供給されたバーナガス（スタックから排出されるガス）を燃焼し、改質触媒７２を加熱する。そして、この改質触媒７２では、脱硫器２２から供給された都市ガス（原料ガス）から、水素ガスを含む燃料ガスが生成される。この燃料ガスは、燃料ガス管７５を通じて後述する燃料電池スタック７６の燃料極７８に供給される。
【００２４】
燃料電池スタック７６は、固体酸化物形の燃料電池スタックであり、積層された複数の燃料電池セル８１（図２では１つのみ図示）を有している。各燃料電池セル８１は、電解質層８２と、この電解質層８２の表裏面にそれぞれ積層された燃料極７８及び空気極８４とを有している。
【００２５】
空気極８４（カソード極）には、空気ブロワ８６が設けられた酸化ガス管８８を通じて酸化ガス（筐体１６の外部の空気）が供給される。この空気極８４では、下記式（１）で示されるように、酸化ガス中の酸素と電子とが反応して酸素イオンが生成される。この酸素イオンは、電解質層８２を通って燃料極７８に到達する。
【００２６】
（空気極反応）
１／２Ｏ２＋２ｅ− →Ｏ２−  ・・・（１）
【００２７】
一方、燃料極７８では、下記式（２）及び式（３）で示されるように、電解質層８２を通ってきた酸素イオンが燃料ガス中の水素及び一酸化炭素と反応し、水（水蒸気）及び二酸化炭素と、電子が生成される。燃料極７８で生成された電子は、外部回路を通って空気極８４に到達する。そして、このようにして電子が燃料極７８から空気極８４に移動することにより、各燃料電池セル８１において発電される。また、各燃料電池セル８１は、発電時に上記反応に伴って発熱する。
【００２８】
（燃料極反応）
Ｈ２ ＋Ｏ２− →Ｈ２Ｏ＋２ｅ−  ・・・（２）
ＣＯ＋Ｏ２− →ＣＯ２＋２ｅ−  ・・・（３）
【００２９】
燃料電池スタック７６に接続されたスタック排ガス管８０の上流側は、燃料極排ガス管９０及び空気極排ガス管９２に分岐されており、この燃料極排ガス管９０及び空気極排ガス管９２は、燃料極７８及び空気極８４にそれぞれ接続されている。燃料極７８から排出された燃料極排ガスと、空気極８４から排出された空気極排ガスとは、燃料極排ガス管９０及び空気極排ガス管９２を通じて排出されると共に、スタック排ガス管８０内にて混合されてスタック排ガスとされる。このスタック排ガスは、燃料極排ガスに含まれる未反応の水素ガスを含んでおり、上述の通り、バーナ７４にバーナガスとして供給される。なお、このバーナ７４に、バーナ排ガスを排気熱交換器３１へ排出する第１排ガス管３２が接続されている。
【００３０】
（冷媒タンクユニット１３）
冷媒タンクユニット１３は、筐体１７の内部に、冷媒Ｗ２を貯留する冷媒タンク３０、冷媒タンク３０の冷媒Ｗ２と外部から供給された上水との間で熱交換を行う上水熱交換器４４、冷媒タンク３０の上部に連結され冷媒タンク３０と上水熱交換器４４とを連結する第２送出し側配管４６、上水熱交換器４４を通過した冷媒Ｗ２を冷媒タンク３０へ戻すための第２戻し側配管４８、第２送出し側配管４６に設けられて上水熱交換器４４を通過した冷媒Ｗ２を冷媒タンク３０へ戻すための予熱ポンプ５０、外部（上水道）から供給された上水を上水熱交換器４４に供給する上水供給配管５２、上水熱交換器４４を通過した湯を排出する第１の供給ラインの一部を構成する給湯配管５６、上水供給配管５２の中間部から分岐され上水を冷媒タンク３０へ供給する給湯分岐配管５８、給湯分岐配管５８に設けられ冷媒タンク３０へ供給する上水の量を調整する補水弁６０、インバーター６８に接続される補助電源１２７等が収容されている。
【００３１】
本実施形態では、冷媒タンク３０の冷媒Ｗ２として水（一例として水道水等）が用いられている。冷媒タンク３０の天井壁３０Ａには、冷媒タンク３０の内外を貫通し、空気の出入を可能とする連通部としての開口部３３が形成されている。また、冷媒タンク３０には、上部に空間が設けられるように冷媒Ｗ２が貯留されており、タンク内の冷媒Ｗ２が熱膨張して体積が増加した場合においても、開口部３３から冷媒Ｗ２が溢れ出ないように、冷媒タンク３０に注入する冷媒Ｗ２の体積が決められている。
即ち、本実施形態の冷媒タンク３０は、上部が外部（大気）に開放された、いわゆる上部開放タイプの冷媒タンクである。
【００３２】
燃料電池ユニット１２と冷媒タンクユニット１３との間には、冷媒タンク３０の底部と排気熱交換器３１とを連結し冷媒タンク３０の冷媒Ｗ２を排気熱交換器３１へ供給するための第１送出し側配管３６、及び冷媒タンク３０の上部と排気熱交換器３１とを連結し、排気熱交換器３１を通過した冷媒Ｗ２を冷媒タンク３０へ戻すための第１戻し側配管３８が設けられており、冷媒タンク３０と排気熱交換器３１との間で冷媒Ｗ２が循環する経路、即ち、第１送出し側配管３６、及び第１戻し側配管３８で第１の循環経路１１８が形成されている。
【００３３】
また、冷媒タンクユニット１３には、冷媒タンク３０と上水熱交換器４４との間で冷媒Ｗ２が循環する経路、即ち、第２送出し側配管４６、及び第２戻し側配管４８で第２の循環経路１２０が形成されている。
本実施形態では、燃料電池で生成された熱を用いて外部からの上水を加熱する本発明の熱源部が、燃料電池セル８１、排気熱交換器３１、冷媒タンク３０、上水熱交換器４４等で構成されている。
【００３４】
（バックアップ熱源機ユニットの構成）
本実施形態のバックアップ熱源機ユニット１４は、燃料電池ユニット１２から供給された湯を更に加熱して排出可能とした潜熱回収型の熱源機（一般的に潜熱回収型ガス給湯器とも呼ばれる）である。潜熱回収型の熱源機は、後述するバーナ１００の排気中の水蒸気を水（凝縮水）にすることにより、排気中の潜熱を回収して、熱効率を向上させたタイプの熱源機である。バックアップ熱源機ユニット１４の第１の筐体９３の内部には、二次熱交換器９１、一次熱交換器９４、冷媒タンクユニット１３からの湯を二次熱交換器９１、一次熱交換器９４に供給する第１の供給ラインの一部を構成する配管９６、一次熱交換器９４を加熱する加熱装置としてのバーナ１００、バーナ１００に燃料ガスを供給する燃料ガス管１０２、一次熱交換器９４を通った湯を排出する配管９８、配管９８の途中に接続され、上水熱交換器４４を通過した湯と上水供給配管１０７を介して外部より供給される上水とを混合する混合弁１０６、混合弁１０６から湯を排出する配管１０８、混合弁１０６から排出される湯の温度を計測する温度センサ１０９、バックアップ熱源機ユニット１４の混合弁１０６、バーナ１００等を制御する制御装置１１０等が設けられている。バックアップ熱源機ユニット１４から排水（凝縮水）が排出される場合、該排水は排水管１２９を介して排水受け１２８に排出することができる。
【００３５】
燃料電池ユニット１２の燃料ガス管２０、及びバックアップ熱源機ユニット１４の燃料ガス管１０２には、都市ガスのガス供給管１１２が接続されている。
また、燃料電池ユニット１２の給湯配管５６とバックアップ熱源機ユニット１４の配管９６とは、第１の供給ラインの一部を構成する接続配管１１４で接続されている。
本実施形態では、給湯配管５６、接続配管１１４、及び接続配管１１４の３本の配管で本発明の第１の供給ラインが構成されている。
【００３６】
給湯配管５６と接続配管１１４とは図示しない継手で相互に接続されており、接続配管１１４と配管９６とは図示しない継手で相互に接続されており、上水熱交換器４４と二次熱交換器９１との間には、配管、及び継手以外の構成、例えば、混合弁等は設けられていない。また、第１の供給ラインである給湯配管５６、接続配管１１４、配管９６には、上水が合流する合流部が設けられていないと捉えることができる。
【００３７】
なお、バックアップ熱源機ユニット１４の配管１０８には、住宅の水機器に向けて湯を送る配管１１６が接続されている。  
【００３８】
（作用、効果）
次に、本実施形態の燃料電池システム１０の動作について説明する。
第一実施形態に係る燃料電池システム１０では、改質触媒７２から燃料ガスが燃料電池スタック７６の燃料極７８に供給されると共に、空気ブロワ８６が作動して酸化ガス管８８から酸化ガスとしての空気が燃料電池スタック７６の空気極８４に供給されると、この燃料電池スタック７６において燃料ガス及び酸化ガスが反応し発電する。
【００３９】
この発電に伴い燃料電池スタック７６からは、未反応の水素ガスを含むスタック排ガスが排出され、このスタック排ガスは、バーナガスとしてバーナ７４にて燃焼され、このバーナ７４からは、バーナ排ガスが排出される。このバーナ排ガスは、水蒸気を含んでおり、第１排ガス管３２を通じて排気熱交換器３１に供給される。
【００４０】
この排気熱交換器３１では、バーナ排ガスと冷媒タンク３０から供給された冷媒Ｗ２との間で熱交換がなされ、冷媒Ｗ２が加熱されると共にバーナ排ガスに含まれる水蒸気が凝縮される。排気熱交換器３１で生成された凝縮水（蒸留水）は、改質水Ｗ１として改質水タンク２４に回収される。改質水タンク２４に回収された改質水は、改質水供給管２６を通じて改質触媒７２に供給され、この改質触媒７２にて水蒸気改質用の水蒸気として利用される。なお、水分の除去されたバーナ排ガスは、第２排ガス管３４を介して外部に排出される。
【００４１】
熱回収ポンプ４０を作動させることで、第１の循環経路１１８は、冷媒タンク３０と排気熱交換器３１との間で冷媒Ｗ２を循環させるため、冷媒タンク３０内の下側の冷媒Ｗ２は第１送出し側配管３６を介して排気熱交換器３１へ供給され、排気熱交換器３１で加熱された後、冷媒タンク３０の上側に戻り、これによって冷媒タンク内の冷媒Ｗ２の温度が上側から下側に向けて徐々に上昇する。
【００４２】
また、暖められた冷媒タンク３０の冷媒Ｗ２は、上水熱交換器４４で、外部より供給された上水との間で熱交換を行うことができる。予熱ポンプ５０を作動させることで、第２の循環経路１２０は、冷媒タンク３０と上水熱交換器４４との間で冷媒Ｗ２を循環させるため、外部の上水道から供給された上水は、上水熱交換器４４で加熱されて暖められる。
【００４３】
ユーザーから出湯要求（例えば、蛇口が開かれる、風呂への給湯指示）があると、上水供給配管５２を介して供給された上水が上水熱交換器４４に流入し、上水熱交換器４４で暖められた上水は、接続配管１１４を介してバックアップ熱源機ユニット１４に供給され、必要に応じてバックアップ熱源機ユニット１４の二次熱交換器９１、及び一次熱交換器９４で再加熱される。
【００４４】
一次熱交換器９４を通過して温められている上水は、混合弁６２に送られる。混合弁６２は、一次熱交換器９４を通過した水に、外部の上水道から供給された冷たい上水を混合して排出することができ、また、一次熱交換器９４を通過して温められている上水をそのまま排出することもできる。混合弁６２は、ユーザーからの指示（制御装置１１０からの制御信号）に基づいて、一次熱交換器９４を通過して温められている上水と、外部の上水道から供給された冷たい上水との混合比を調整して、所望の温度で排出する。
【００４５】
このように、本実施形態の燃料電池システム１０では、温められた上水、即ち湯と、冷たい上水とを混合する混合弁１０６がバックアップ熱源機ユニット１４のみに設けられているので、混合弁を備えた燃料電池ユニットと混合弁を備えたバックアップ熱源機とを単純に直列的に接続した燃料電池システムに対して、混合弁の数が減り、湯と上水とを混合する構成が簡略化されている。
【００４６】
なお、バックアップ熱源機ユニット１４から混合弁１０６を取り除き、該混合弁１０６を燃料電池ユニット１２に設ける、具体的には、給湯配管５６に混合弁１０６を設けることで、システム全体では混合弁の数を減らすことは可能であるが、燃料電池ユニット１２に設けた混合弁１０６で湯と上水との混合比を調整しても、配管１１６からの給湯の湯温調節は困難になる。
【００４７】
本実施形態の燃料電池システム１０では、出湯する配管１１６の上流側の直前で、湯と上水との混合比を混合弁１０６で調整するので、配管１１６からの給湯の湯温調節を精密に行なうことができる。
【００４８】
［第２の実施形態］  
次に、本発明の第２の実施形態に係る燃料電池システム１０を図３にしたがって説明する。なお、第１の実施形態と同一構成には同一符号を付し、その説明は省略する。
【００４９】
図３に示すように、本実施形態の燃料電池システム１０は、図１に示す燃料電池システム１０の冷媒タンクユニット１３の内部構成を、一部変更したものである。
第１の実施形態の冷媒タンク３０は、上部が外部（大気）に開放された、いわゆる上部開放タイプの冷媒タンクであったが、本実施形態の燃料電池システム１０の冷媒タンクユニット１３には、第１の実施形態の冷媒タンク３０に換えて、いわゆる密閉タイプの冷媒タンク１３４が設けられている。
【００５０】
冷媒タンク１３４の底部には、第１送出し側配管３６と、外部（上水道）から供給された上水を冷媒タンク１３４の内部に供給する上水供給配管５２とが接続されている。
また、冷媒タンク１３４の上部には、第１戻し側配管３８と、冷媒タンク１３４の上部に溜まった温まった上水を排出する給湯配管５６とが接続されている。
【００５１】
第１戻し側配管３８の途中には、中間部に圧力逃し弁１３８が取り付けられた分岐管１４０が接続されている。圧力逃し弁１３８は、冷媒タンク１３４、及び冷媒タンク１３４に接続された配管類に過剰な圧力が作用しないように、内部の水を分岐管１４０を介して改質水タンク２４に隣接して設けたタンク１４２に排出する。なお、タンク１４２に排出された水は、余剰の改質水Ｗ１と同様に、排水管１３０を介して排水受け１２８に排出することができる。
【００５２】
本実施形態の本実施形態の燃料電池システム１０では、冷媒タンク１３４の内部に上水道からの水圧が掛っており、給湯が行われると、上水が冷媒タンク１３４の下部に供給され、上部の温まっている上水が押し出されてバックアップ熱源機ユニット１４に供給される。なお、本実施形態の冷媒タンク１３４は、本発明の熱源部の一部を構成している。
【００５３】
本実施形態においても、第１の実施形態と同様に、バックアップ熱源機ユニット１４の一次熱交換器９４を通過して温められている上水が、混合弁６２に送られ、必要に応じて外部からの冷たい上水と混合される。
このように、本実施形態の燃料電池システム１０においても、温められた上水、即ち湯と、冷たい上水とを混合する混合弁１０６がバックアップ熱源機ユニット１４のみに設けられているので、混合弁を備えた燃料電池ユニットと混合弁を備えたバックアップ熱源機とを単純に直列的に接続した燃料電池システムに対して、混合弁の数が減り、湯と上水とを混合する構成が簡略化されている。これにより、燃料電池システム１０のコストダウンも図られる。
【００５４】
［その他の実施形態］
以上、本発明の一例について説明したが、本発明は、上記に限定されるものでなく、上記以外にも、その主旨を逸脱しない範囲内において種々変形して実施可能であることは勿論である。
【００５５】
上記実施形態の燃料電池システム１０では、燃料電池ユニット１２、冷媒タンクユニット１３、及びバックアップ熱源機ユニット１４の３ユニットで構成されていたが、例えば、燃料電池ユニット１２と冷媒タンクユニット１３とを一体化した一つのユニットとし、全体を２つのユニットで構成してもよい。
【符号の説明】
【００５６】
１０    燃料電池システム
１４    バックアップ熱源機ユニット（バックアップ熱源機）
３０    冷媒タンク（熱源部）
３１    排気熱交換器（熱源部）
４４    上水熱交換器（熱源部）          
５６    給湯配管（第１の供給ライン、配管）  
８１    燃料電池セル（燃料電池）
９１    二次熱交換器（加熱器）
９４    一次熱交換器（加熱器）
９６    配管（第１の供給ライン、配管）  
１００  バーナ（加熱器）
１０６  混合弁  
１０７  上水供給配管（第２の供給ライン）
１１４  接続配管（第１の供給ライン、配管）
１３４  冷媒タンク（熱源部）
【図１】
2020165582.tif 000003
【図２】
2020165582.tif 000004
【図３】
2020165582.tif 000005